(57)【要約】【課題】  測定対象機器の状態の良否判定を、精度よく、しかも、速読することができるガス圧力換算器を提供する。【解決手段】  温度値を段階的に表示した温度表示部材１と、圧力値を段階的に表示した圧力表示部材２と、判定基準位置Ｎと共に判定結果を段階的に表示した判定表示部材３と、を備え、前記各表示部材１，２，３は、相対的に移動自在に組み合わされ、測定対象機器の基準とする圧力値を前記判定基準位置Ｎに合せた状態から、測定した温度値を前記判定基準位置Ｎに合せて、前記測定対象機器の基準とする温度値に対応する圧力値を読み取り、該圧力値を前記判定基準位置Ｎに合せた状態にて、測定した圧力値と対応する判定結果を読み取ることを特徴とする。【選択図】  図１
2009186257.tif 000002
【特許請求の範囲】
【請求項１】
温度値を段階的に表示した温度表示部材と、圧力値を段階的に表示した圧力表示部材と、判定基準位置と共に判定結果を段階的に表示した判定表示部材と、を備え、前記各表示部材は、相対的に移動自在に組み合わされ、測定対象機器の基準とする圧力値を前記判定基準位置に合せた状態から、測定した温度値を前記判定基準位置に合せて、前記測定対象機器の基準とする温度値に対応する圧力値を読み取り、該圧力値を前記判定基準位置に合せた状態にて、測定した圧力値と対応する判定結果を読み取ることを特徴とするガス圧力換算器。
【請求項２】
前記温度表示部材、前記圧力表示部材、及び前記判定表示部材は、それぞれ円盤状に形成され、前記圧力表示部材は、前記温度表示部材より大きく、前記判定表示部材は、前記圧力表示部材より大きく、上から順に、前記温度表示部材、前記圧力表示部材、及び前記判定表示部材が、同一軸心状に重ねられたことを特徴とする請求項１に記載のガス圧力換算器。
【請求項３】
前記判定表示部材には、前記判定基準位置を含む正常域と、その両側に隣接し且つ正常域より低い圧力及び高い圧力をそれぞれ表示する低め許容域及び高め許容域と、前記低め許容域に隣接し且つ低め許容域より低い圧力を表示する警報域と、前記警報域に隣接し且つ警報域より低い圧力を表示する鎖錠域とが、それぞれ設定されることを特徴とする請求項１又は２に記載のガス圧力換算器。
【請求項４】
前記各表示部材は、着脱自在に取り替え可能であることを特徴とする請求項１乃至３の何れか１項に記載のガス圧力換算器。
【請求項５】
前記判定表示部材には、基準とするガス圧力値及びガス温度値の少なくとも何れか一方が異なる複数の判定結果が、判定基準位置と共に段階的に表示されていることを特徴とする請求項１乃至４の何れか１項に記載のガス圧力換算器。
【発明の詳細な説明】
【技術分野】
【０００１】
本発明は、例えば変電所等に設けられているガス遮断機のガス圧の状態を簡易に確認するためのガス圧力換算器に関する。
【背景技術】
【０００２】
変電所等に設けられているガス遮断機（詳細には、絶縁ガスが封入されたガスタンク）のガス圧の状態を確認するためには、例えば図５に示すような制御箱等に添付されている換算表が用いられていた。この換算表は、基準となるガス圧力値が０．５ＭＰａで、基準となるガス温度値が２０℃に設定されたものであり、測定したガス（タンク）の圧力値（図５における縦軸の「ガス圧力」）とガス（タンク）の温度（図５における横軸の「ガス温度」）とが交差する点で判定を読み取るようになっている。
【０００３】
即ち、そのときのガス温度値が２０℃であれば、ガス圧力値０．４５ＭＰａ〜０．５５ＭＰａの範囲（図５におけるハッチング部分）が許容される圧力（許容圧力）の範囲となり、（０．４０ＭＰａ〜）０．４５ＭＰａ未満の範囲が警報圧力の範囲、０．４０ＭＰａ未満の範囲が鎖錠圧力の範囲となる。また、かかる換算表は、各ガス温度値における、各圧力範囲（許容圧力、警報圧力、鎖錠圧力の各範囲）の圧力幅が略一定である（具体的には若干異なるが、使用状態におけるガス温度の範囲においては、略一定である）。
【０００４】
なお、警報圧力とは、気密性を有するガスタンクからガスが漏れている可能性が高い圧力であって、例えば、かかる状況を作業員に知らせるために警報装置（ブザー、表示灯等）を作動させる圧力であり、また、鎖錠圧力とは、ガスタンクからガスが漏れた等の状態（所定の条件が満たされていない状態）であり、かかる状態で遮断機の開閉操作を行うと、重大な事故が生じるおそれがあるため、例えば、開閉操作を禁止するように鎖錠をかける圧力である。
【発明の開示】
【発明が解決しようとする課題】
【０００５】
上述のような換算表は制御箱のような特定の箇所に添付されているものであり、従って、その換算表が備えられていない場所でガス圧の状態を確認する場合には、換算表のある場所まで移動しなければならないため煩に耐えなかった。また、上述の換算表では、ガス温度は１０℃刻みに目盛られており、ガス圧力も０．１ＭＰａ刻みで目盛られているため、詳細な測定値の読み込みは困難であり、たとえ目盛を細分化しても、定規を当てない限り温度値と圧力値との交差点を目視で読み取ることは到底不可能であった。さらに、図５におけるハッチング部分で示される許容圧力の範囲は、特定の定格圧力に対応するものであり、定格値が異なる機種に対しては適用できず汎用性に欠けるという難点もあった。
【０００６】
本発明は、このような実情に鑑みてなされ、測定対象機器の状態の良否判定を、精度よく、しかも、速読することができるガス圧力換算器を提供することを目的とする。
【課題を解決するための手段】
【０００７】
本発明に係るガス圧力換算器は、温度値を段階的に表示した温度表示部材と、圧力値を段階的に表示した圧力表示部材と、判定基準位置と共に判定結果を段階的に表示した判定表示部材と、を備え、前記各表示部材は、相対的に移動自在に組み合わされ、測定対象機器の基準とする圧力値を前記判定基準位置に合せた状態から、測定した温度値を前記判定基準位置に合せて、前記測定対象機器の基準とする温度値に対応する圧力値を読み取り、該圧力値を前記判定基準位置に合せた状態にて、測定した圧力値と対応する判定結果を読み取ることを特徴とする。
【０００８】
本発明によれば、測定した温度値と圧力値とに基づいて各表示部材を相対移動操作することによって、判定表示部材に表示した判定結果を（定規等を用いることなく）視認性よく直読することができる。そして、携帯が可能であるため、高い利便性を備えている。また、温度値と圧力値とを詳細に表示することで、精度の高い判定結果を読み取ることができる。さらに、各表示部材は、例えばシート材で形成することができるため、安価に提供することができる。
【０００９】
また、本発明に係るガス圧力換算器においては、前記判定表示部材には、前記判定基準位置を含む正常域と、その両側に隣接し且つ正常域より低い圧力及び高い圧力をそれぞれ表示する低め許容域及び高め許容域と、前記低め許容域に隣接し且つ低め許容域より低い圧力を表示する警報域と、前記警報域に隣接し且つ警報域より低い圧力を表示する鎖錠域とが、それぞれ設定されてもよい。このようにすれば、例えば、各表示部材をシート材で形成し、その周縁部に表示値を表記して、その値を直読できるようにすることができる。また、全体を携帯可能な程度にコンパクトに形成することもでき、安価に提供することができる。
【００１０】
また、本発明に係るガス圧力換算器においては、前記判定表示部材には、前記判定基準位置を含む正常域と、その両側に隣接し且つ正常域より低い圧力及び高い圧力をそれぞれ表示する低め許容域及び高め許容域と、前記低め許容域に隣接し且つ低め許容域より低い圧力を表示する警報域と、前記警報域に隣接し且つ警報域より低い圧力を表示する鎖錠域とが、それぞれ設定されてもよい。このようにすれば、判定結果を明確に視認することができる。
【００１１】
また、本発明に係るガス圧力換算器においては、前記各表示部材は、着脱自在に取り替え可能な構成を採用してもよい。このようにすれば、複数の定格の異なる機器の判定が可能となり利便性が向上する。
【００１２】
また、本発明に係るガス圧力換算器においては、前記判定表示部材には、基準とするガス圧力値及びガス温度値の少なくとも何れか一方が異なる複数の判定結果が、判定基準位置と共に段階的に表示されていてもよい。このようにすれば、判定表示部材を取り替えることなく、複数の定格の異なる機器の判定が可能となりさらに利便性が向上する。
【発明の効果】
【００１３】
本発明のガス圧力換算器は、温度表示部材と、圧力表示部材と、判定表示部材とを備え、測定した温度値と圧力値とに基づいて各表示部材を相対移動操作することによって、判定表示部材に表示した判定結果を視認性よく直読することができるため、測定対象機器の状態の良否判定を、精度よく、しかも、速読することができるという効果を奏する。
【００１４】
また、携帯が可能で換算表が不要となり、高い利便性を備えている。さらに、温度値と圧力値とを詳細に表示すれば、精度の高い判定結果を読み取ることができる。しかも、各表示部材を、例えばシート材で形成すれば、安価に提供することができる。
【発明を実施するための最良の形態】
【００１５】
以下に、本発明の最良の実施の形態に係るガス圧力換算器について詳細に説明する。ここで、図１はガス圧力換算器の正面図、図２（ａ）は温度表示部材（以下、「温度シート」ともいう）、（ｂ）は圧力表示部材（以下、「圧力シート」ともいう）、（ｃ）は判定表示部材（以下、「判定シート」ともいう）の各正面図である。
【００１６】
本実施形態に係るガス圧力換算器は、図１及び図２に示すように、温度値を段階的に表示した温度表示部材１と、圧力値を段階的に表示した圧力表示部材２と、判定基準位置Ｎと共に判定結果を段階的に表示した判定表示部材３とを備える。
【００１７】
そして、ガス圧力換算器は、温度表示部材１、圧力表示部材２、及び判定表示部材３がそれぞれ円盤状に形成され、圧力表示部材２が温度表示部材１より大きく、判定表示部材３が圧力表示部材２より大きく、上から順に、温度表示部材１、圧力表示部材２、及び判定表示部材３が同一軸心状に重ねられて構成される。
【００１８】
具体的には、ガス圧力換算器は、各表示部材１，２，３がそれぞれ円盤状に形成され、圧力表示部材２の径が温度表示部材１の径より大きく形成され、判定表示部材３の径が圧力表示部材２の径より大きく形成され、判定表示部材３の上に圧力表示部材２が重ねられ、圧力表示部材２の上に温度表示部材１が重ねられ、各表示部材１，２，３が同一軸心状に相対的に回動操作自在に重ねられて構成される。
【００１９】
また、ガス圧力換算器は、例えば、ガス遮断機（詳細には、絶縁ガスが封入されたガスタンク）といった測定対象機器における測定したガス圧力値及びガス温度値と、基準とするガス圧力値及びガス温度値とにより、測定対象機器の状態の良否判定を行うことができる。
【００２０】
具体的には、ガス圧力換算器は、各表示部材１，２，３が相対的に移動自在に組み合わされ、測定対象機器の基準とする圧力値（定格圧力値）を判定基準位置Ｎに合せた状態から、測定した温度を判定基準位置Ｎに合せて、測定対象機器の基準とする温度値に対応する圧力値を読み取り、該圧力値を判定基準位置Ｎに合せた状態にて、測定した圧力値と対応する判定結果を読み取るように構成される。
【００２１】
より具体的には、ガス圧力換算器は、圧力表示部材２における基準とする圧力値（定格圧力値）と判定表示部材３における判定基準位置Ｎとを合せた状態にて、温度表示部材１における測定した温度値を判定表示部材３における判定基準位置Ｎに合せることにより、温度表示部材１における基準とする温度値と該温度値における換算圧力値（定格圧力値）とが対応するように構成され、さらに、圧力表示部材２における該圧力値と判定表示部材３における判定基準位置Ｎとを合わせることにより、圧力表示部材２における測定した圧力値と判定表示部材３における判定結果とが対応するように構成される。
【００２２】
温度表示部材１及び圧力表示部材２の各目盛りと、判定表示部材３の判定結果とは、所定の計算式に基づいて、図５に示す換算表と同一の内容が再現されており、精度の高い判定結果が得られるように、換算表よりも詳細な目盛りが付されている。具体的には、温度表示部材１は、温度値を１℃単位で段階的に表示しており（図示は省略している）、圧力表示部材２は、圧力値を０．１ｋｇｆ／ｃｍ2 以下、「ｋｇｆ／ｃｍ2 」を単に「ｋ」とする）単位で段階的に表示している。
【００２３】
また、温度表示部材１、圧力表示部材２、及び判定表示部材３は、目盛り（温度値、圧力値）、及び判定結果を明確に直読視認できるように形成されている。具体的には、圧力表示部材２の目盛りは、温度表示部材１よりも外方に表示され、判定表示部材３の判定結果は、圧力表示部材２よりも外方に表示されている。
【００２４】
また、判定表示部材３には、判定基準位置Ｎを含む正常域と、その両側にそれぞれ隣接する低め許容域及び高め許容域と、低め許容域に隣接する警報域と、警報域に隣接する鎖錠域とが、それぞれ設定される。具体的には、判定表示部材３には、判定基準位置Ｎを含む正常域と、その両側に隣接し且つ正常域より低い圧力及び高い圧力をそれぞれ表示する低め許容域及び高め許容域と、低め許容域に隣接し且つ低め許容域より低い圧力を表示する警報域と、警報域に隣接し且つ警報域より低い圧力を表示する鎖錠域とが、それぞれ設定される。
【００２５】
より具体的には、判定表示部材３には、判定基準位置Ｎを含み正常な圧力状態を表示する正常域と、正常域に隣接して且つ正常域よりも低い許容圧力状態を表示する低め許容域と、正常域に隣接して且つ正常域よりも高い許容圧力状態を表示する高め許容域と、低め許容域に隣接して且つ低め許容域よりも低い圧力でガス漏れの可能性が有る状態を表示する警報域と、警報域に隣接して且つ警報域よりも低い圧力で測定対象機器の操作（ガス遮断機の開閉操作）を禁止する状態を表示する鎖錠域とが、それぞれ設定される。
【００２６】
なお、図１及び図２に示す、ガス圧力換算器は、測定対象機器の定格圧力（基準とする圧力値）が５ｋ（０．５ＭＰａ）で、基準とする温度値（ガス圧表示基準温度）が２０℃のものに適用される。
【００２７】
本実施形態に係るガス圧力換算器に係る構成は以上の通りであり、次に、本実施形態に係るガス圧力換算器の操作手順について、定格圧力が５ｋのガス遮断機（ガスタンク）を測定対象例として図３（ａ）〜（ｃ）に基づいて以下に説明する。
【００２８】
（１）圧力表示部材２におけるガス遮断機の基準とする圧力値（５ｋ）の指針と、温度表示部材１におけるガス遮断機の基準となる温度値（２０℃）の指針とを、判定表示部材３における判定基準位置Ｎに合せる（図３（ａ）参照）。
【００２９】
（２）そして、ガス遮断機のガス温度を測定すると、測定した温度値が１０℃であったとする。
【００３０】
（３）そこで、温度表示部材１を反時計回りに回動させて、温度表示部材１における測定した温度値（１０℃）の指針を、判定表示部材３における判定基準位置Ｎ（圧力表示部材２における基準とする圧力値（５ｋ）の指針）に合せる（図３（ｂ）参照）。
【００３１】
（４）このとき、温度表示部材１における基準とする温度値（２０℃）の指針が示す、圧力表示部材２における圧力値（３．９ｋ）が、測定した温度値（１０℃）における換算圧力値（定格圧力値）となる。
【００３２】
（５）そして、圧力表示部材２を時計回りに回動させて、測定した温度（１０℃）における換算圧力値（３．９ｋ）の目盛りを、判定表示部材３における判定基準位置Ｎに合せる（図３（ｃ）参照）。
【００３３】
（６）かかる状態にて、ガス遮断機のガス圧力を測定すると、測定した圧力値が４．５ｋであったとする。
【００３４】
（７）そして、圧力表示部材２における測定した圧力値（４．５ｋ）の指針と対応する、判定表示部材３における判定結果（「高」）を読み取ることにより、ガス遮断機の状態を判定することができる。
【００３５】
以上のように、本実施形態に係るガス圧力換算器は、測定した温度値と圧力値に基づき、温度表示部材１と圧力表示部材２とを操作することによって、判定表示部材３に表示した判定結果を視認性よく直読することができる。また、かかるガス圧力換算器は、各表示部材１，２，３がシート状に形成されているため、携帯が可能で高い利便性を備えている。
【００３６】
そして、かかるガス圧力換算器は、温度値と圧力値とを詳細に表示することで、精度の高い判定結果を読み取ることができる。さらに、かかるガス圧力換算器は、各シート１，２，３が厚手のシート材等で形成することができるため、安価に提供することができる。
【００３７】
なお、本発明に係るガス圧力換算器は、上記した実施の形態に限定されるものではなく、本発明の要旨を逸脱しない範囲内において種々変更を加え得ることは勿論である。
【００３８】
例えば、本発明に係るガス圧力換算器は、各表示部材１，２，３が取り替え可能に構成されてもよい。具体的には、各表示部材１，２，３は、異なる定格の（基準とする温度値及び圧力値の少なくとも何れか一方が異なる）ものと着脱自在に取り替え可能に構成されてもよい。かかる構成によれば、異なる定格の機器に容易に対処することができ、利便性を向上させることができる。
【００３９】
また、本発明に係るガス圧力換算器は、異なる例を図４に示すように、判定表示部材３’には、基準とするガス圧力値及びガス温度値の少なくとも何れか一方が異なる複数の判定結果が、判定基準位置Ｎ，…と共に段階的に表示されていてもよい。かかる場合、判定表示部材３には、三つの定格値（４ｋ、５ｋ、６ｋ）に対応する判定結果を表示している。従って、三種類の機器の判定が可能となり、利便性をさらに向上させることができる。
【００４０】
また、上記実施形態に係るガス圧力換算器においては、各表示部材１，２，３が円盤状に形成され、回動動作される場合を説明したが、かかる場合に限られず、例えば、各表示部材が矩形状に形成される場合でもよく、また、各表示部材がスライド（平行移動）動作される場合でもよい。
【図面の簡単な説明】
【００４１】
【図１】本発明の一実施形態に係るガス圧力換算器の全体図であって、正面図を示す。
【図２】同実施形態に係るガス圧力換算器の各構成部材における全体体図であって、（ａ）は温度表示部材の正面図、（ｂ）は圧力表示部材の正面図、（ｃ）は判定表示部材の正面図を示す。
【図３】同実施形態に係るガス圧力換算器の全体図における、操作を説明する図であって、（ａ）は初期設定時、（ｂ）は温度設定時、（ｃ）は圧力設定時を示す。
【図４】本発明に係る他の実施形態に係るガス圧力換算器における判定表示部材の全体図であって、正面図を示す。
【図５】従来の換算表を示す図である。
【符号の説明】
【００４２】
１…温度表示部材、２…圧力表示部材、３…判定表示部材、Ｎ…判定基準位置
【図１】
2009186257.tif 000003
【図２】
2009186257.tif 000004
【図３】
2009186257.tif 000005
【図４】
2009186257.tif 000006
【図５】
2009186257.tif 000007